(57)【要約】【課題】  感光体カートリッジの着脱動作の際に感光体ドラムとライトガイドを備えた除電部とが相互に干渉することを防止し、感光体ドラムに対してライトガイドを近接して対向配置することを可能とすることで、効率的に感光体ドラム表面の残留電位を取り除き、良好な画像を形成することができる画像形成装置を提供することを目的とする。【解決手段】  転写ベルト５３を感光体ドラム２１に離間または当接させる部材により、ライトガイドと備えた除電部１９を固定支持するように構成した。これにより、感光体カートリッジの着脱時の感光体ドラム２１からの転写ベルト５３の離間にともない、ライトガイドを備えた除電部１９が感光体ドラム２１から離間されるため、感光体ドラム２１とライトガイドとの相互干渉を防止でき、これらを近接して対向配置することができる。【選択図】  図５
2006235034.tif 000002
【特許請求の範囲】
【請求項１】
それぞれが互いに異なる色のトナー像をそれぞれが有する感光体の表面に形成する複数の画像形成ステーションを、転写ベルトの移動方向に並べて配置し、前記複数の感光体の表面に形成されたトナー像を前記転写ベルトの表面に重ね合わせて転写してカラー画像を形成する画像形成装置において、
前記複数の画像形成ステーションの各々は、それぞれが有する前記感光体を保持しながら装置本体に対して着脱自在である感光体カートリッジと、光を射出する除電用発光部材と該感光体カートリッジが装置本体に装着された状態で前記感光体に対向する対向面を有し該除電用発光部材から射出された光を該対向面を介して前記感光体表面に照射するライトガイドとを備える除電部とを有し、
前記複数の画像形成ステーションの各々に対して一対一で対向配置された複数の１次転写ローラと、
前記複数の１次転写ローラを回転自在に軸支するとともに前記複数のライトガイドを固定支持する支持部材と、
前記支持部材を動かして、前記複数の１次転写ローラをそれぞれが対向する画像形成ステーションに前記転写ベルトを挟んで離間または当接させるとともに、前記複数のライトガイドをそれぞれが対向する前記感光体から離間または近接させるローラ離当接手段と、
前記ローラ離当接手段による前記複数の１次転写ローラの離間動作に連動して前記転写ベルトを前記複数の画像形成ステーションから離間させるベルト離間手段と
をさらに備えたことを特徴とする画像形成装置。
【請求項２】
それぞれが互いに異なる色のトナー像をそれぞれが有する感光体の表面に形成する複数の画像形成ステーションを、転写ベルトの移動方向に並べて配置し、前記複数の感光体表面に形成されたトナー像を前記転写ベルトの表面に重ね合わせて転写してカラー画像を形成するカラーモードと、前記複数の画像形成ステーションのうち特定画像形成ステーションの有する前記感光体の表面に形成されたトナー像のみを前記転写ベルトに転写して単色画像を形成する単色モードとを選択的に実行する画像形成装置において、
前記複数の画像形成ステーションの各々は、それぞれが有する前記感光体を保持しながら装置本体に対して着脱自在である感光体カートリッジと、光を射出する除電用発光部材と該感光体カートリッジが装置本体に装着された状態で前記感光体表面に対向する対向面を有し該除電用発光部材から射出された光を該対向面を介して前記感光体表面に照射するライトガイドとを備える除電部とを有し、
前記特定画像形成ステーションに対して対向配置された単色用１次転写ローラと、
前記複数の画像形成ステーションのうち前記特定画像形成ステーションを除く全ての画像形成ステーションの各々に対して一対一で対向配置された複数のカラー用１次転写ローラと、
前記単色用１次転写ローラを回転自在に軸支するとともに、前記特定画像形成ステーションが有する前記ライトガイドを固定支持する単色用支持部材と、
前記複数のカラー用１次転写ローラを回転自在に軸支するとともに、前記複数の画像形成ステーションのうち前記特定画像形成ステーションを除く全ての画像形成ステーションが有する前記複数のライトガイドを固定支持するカラー用支持部材と、
前記単色用支持部材を動かして、前記単色用１次転写ローラを前記特定画像形成ステーションに前記転写ベルトを挟んで離間または当接させるとともに、該単色用支持部材が固定支持する前記ライトガイドをこれが対向する前記感光体から離間または近接させる単色用ローラ離当接手段と、
前記カラー用支持部材を動かして、前記複数のカラー用１次転写ローラの全てをそれぞれが対向する前記画像形成ステーションに前記転写ベルトを挟んで離間または当接させるとともに、該カラー用支持部材が固定支持する前記複数のライトガイドをそれぞれが対向する感光体から離間または近接させるカラー用ローラ離当接手段と、
前記単色用ローラ離当接手段による前記単色用１次転写ローラの離間動作に連動して前記転写ベルトを前記特定画像形成ステーションから離間させるとともに、前記カラー用ローラ離当接手段による前記複数のカラー用１次転写ローラの離間動作に連動して前記転写ベルトを前記複数の画像形成ステーションのうち前記特定画像形成ステーションを除く全ての画像形成ステーションから離間させるベルト離間手段と
をさらに備えたことを特徴とする画像形成装置。
【請求項３】
カラーモード実行後に必要に応じて、前記単色用ローラ離当接手段による前記単色用１次転写ローラの前記特定画像形成ステーションからの離間と、前記カラー用ローラ離当接手段による、前記複数のカラー用１次転写ローラのそれぞれが対向する前記画像形成ステーションからの離間とを実行する請求項２記載の画像形成装置。
【請求項４】
単色モード実行時に、前記カラー用離当接手段により、前記複数のカラー用１次転写ローラをそれぞれが対向する前記画像形成ステーションから離間させる請求項２または３記載の画像形成装置。
【請求項５】
単色モード実行後に必要に応じて、前記単色用ローラ離当接手段により、前記単色用１次転写ローラを特定画像形成ステーションから離間させる請求項４記載の画像形成装置。
【請求項６】
前記複数の画像形成ステーションの各々において、感光体からのライトガイドの離間に伴って除電用発光部材を該感光体から離間させる、発光部材離間手段をさらに備えた請求項１ないし５のいずれかに記載の画像形成装置。
【請求項７】
前記複数の画像形成ステーションの各々において、除電用発光部材をライトガイドに一体的に取り付けて、感光体からのライトガイドの離間に伴って、除電用発光部材を該感光体から離間する請求項１ないし５のいずれかに記載の画像形成装置。
【発明の詳細な説明】
【技術分野】
【０００１】
この発明は、画像形成装置本体から着脱可能な感光体カートリッジを備えた画像形成装置に関するものである。
【背景技術】
【０００２】
プリンタ、複写機およびファクシミリ装置などの画像形成装置では、感光体などの潜像担持体の周囲に帯電部、像書込み部および現像部を配置している。また、帯電部により感光体の表面を一様に帯電した後、像書込み部により感光体表面上に静電潜像を形成し、該静電潜像を現像部において現像することで画像を形成する。しかしながら、特許文献１に記載されている通り、従来から、帯電前の感光体表面上の電位が乱れることにより画像弊害が生じることが知られている。そこで、これを解決するため、感光体表面上の残留電位を取り除く、いわゆる除電部が提案されている。
【０００３】
このような除電部は、感光体の表面に光を照射することにより残留電位を取り除くように構成されている。例えば、従来から知られているものとして、感光体の長手方向に複数個のＬＥＤ（Ｌｉｇｈｔ  Ｅｍｉｔｔｉｎｇ  Ｄｉｏｄｅ）を配列したものを感光体に対向配置し、該ＬＥＤからの光により感光体表面の残留電位を取り除く方法がある。しかしながら、ＬＥＤのような点光源を複数個配列する方法により、感光体表面上に均一な光を照射するには、感光体に対向してＬＥＤをある程度密に配列することが必要である。そのため、このような構成の除電部は多数のＬＥＤを必要とし、その周囲に帯電部や現像部等が配置されている感光体に近接して配置することは困難であった。
【０００４】
一方で、除電効率を良好にするためには、除電部からの光をなるべく多く感光体表面上に照射する必要がある。したがって、除電部は感光体の近くに配置し、除電部からの光を他の部材等により遮られないようにすることが望ましい。また、画像形成装置の小型化を考慮しても、除電部は感光体の近くに配置することが望ましい。したがって、除電部は小さいものであることが望まれるが、このような要請に対応するものとして、感光体の長手方向に対向して設けられ、除電用発光部材から入射した光を感光体の表面に導くライトガイドを備えた除電部が特許文献１または２において提案されている。このようにライトガイドを備えた除電部は、除電用発光部材からの光を感光体表面に導くため、感光体に対向して多数の光源を配列する必要がなく小型化が可能となる。
【０００５】
【特許文献１】特開平１３−１４２３６５号公報（段落番号［０００８］［０００９］［００１５］［００１８］）
【特許文献２】特開平１４−２７８３９５号公報（段落番号［００１３］〜［００１８］）
【発明の開示】
【発明が解決しようとする課題】
【０００６】
しかしながら、除電部として上述のライトガイドを備えた除電部を使用した場合であっても、除電部を感光体の近くに配置するにあたり次のような問題があった。つまり、近年では、電子写真方式の画像形成装置においては、メンテナンスの容易化を図るため、感光体と、これに作用する現像手段、クリーニング手段等を感光体カートリッジとして一体化し、画像形成装置本体に対して着脱自在とした方式を採用したものがある。このような感光体カートリッジは、所定の限界に達すると画像形成装置本体から取り外されて廃棄されたり、新品の感光体に取り替えられて再利用される。このように感光体カートリッジ方式を採用した装置において、除電部を感光体近くに配置すると、次のような問題が発生することがあった。すなわち、感光体カートリッジの着脱時に除電部と感光体が相互に干渉し、感光体または除電部を傷つける場合があった。
【０００７】
この発明は上記課題に鑑みてなされたものであり、感光体カートリッジ着脱時における感光体と除電部との干渉を防止することで、感光体近くに除電部を配置することを可能とし、小型で、かつ、感光体表面の残留電位を効率良く取り除き良好な画像を形成することができる画像形成装置を提供することを目的としている。
【課題を解決するための手段】
【０００８】
この発明は、それぞれが互いに異なる色のトナー像をそれぞれが有する感光体の表面に形成する複数の画像形成ステーションを、転写ベルトの移動方向に並べて配置し、複数の感光体の表面に形成されたトナー像を転写ベルトの表面に重ね合わせて転写してカラー画像を形成する画像形成装置であって、上記目的を達成するために、複数の画像形成ステーションの各々は、それぞれが有する感光体を保持しながら装置本体に対して着脱自在である感光体カートリッジと、光を射出する除電用発光部材と該感光体カートリッジが装置本体に装着された状態で感光体に対向する対向面を有し該除電用発光部材から射出された光を該対向面を介して感光体表面に照射するライトガイドとを備える除電部とを有し、複数の画像形成ステーションの各々に対して一対一で対向配置された複数の１次転写ローラと、複数の１次転写ローラを回転自在に軸支するとともに複数のライトガイドを固定支持する支持部材と、支持部材を動かして、複数の１次転写ローラをそれぞれが対向する画像形成ステーションに転写ベルトを挟んで離間または当接させるとともに、複数のライトガイドをそれぞれが対向する感光体から離間または近接させるローラ離当接手段と、ローラ離当接手段による複数の１次転写ローラの離間動作に連動して前記転写ベルトを複数の画像形成ステーションから離間させるベルト離間手段とをさらに備えたことを特徴としている。
【０００９】
このように構成された画像形成装置では、ローラ離当接手段により全ての１次転写ローラを軸支する支持部材を動かすことで、全ての１次転写ローラをそれぞれが対向する画像形成ステーションから離間させる（ローラ離間動作）。また、ベルト離間手段により、これら１次転写ローラの離間動作に連動して、全ての画像形成ステーションから転写ベルトを離間させる。さらに、ローラ離当接手段によりローラ離間動作が実行された場合は、該ローラ離間動作にともなって全てのライトガイドはそれぞれが対向する感光体から離間されるように構成されている。したがって、感光体カートリッジの着脱に先立ってローラ離間動作を実行した場合、転写ベルトが全ての画像形成ステーションから離間されるとともに、全てのライトガイドはそれぞれが対向する感光体から離間されることとなる。よって、感光体カートリッジの着脱時におけるライトガイドと感光体との相互干渉を考慮することなく、感光体表面に光を照射するライトガイドの対向面を感光体に近接して対向配置することができ、感光体表面の残留電位を効率よく取り除き良好な画像を形成することが可能となる。また、画像形成装置本体を小型化することが可能となる。また、本発明における画像形成装置では、１次転写ローラを軸支する支持部材により、上記ライトガイドを固定支持することで、ローラ離間動作にともなうライトガイドの感光体からの離間を実現している。よって、ライトガイドを支持する部材や、ライトガイドを感光体から離間させる手段を別途設ける必要が無く装置構成を簡素化することができる。
【００１０】
また、それぞれが互いに異なる色のトナー像をそれぞれが有する感光体の表面に形成する複数の画像形成ステーションを、転写ベルトの移動方向に並べて配置し、複数の感光体表面に形成されたトナー像を転写ベルトの表面に重ね合わせて転写してカラー画像を形成するカラーモードと、複数の画像形成ステーションのうち特定画像形成ステーションの有する感光体の表面に形成されたトナー像のみを転写ベルトに転写して単色画像を形成する単色モードとを選択的に実行する画像形成装置にあっては、上記目的を達成するために、複数の画像形成ステーションの各々は、それぞれが有する感光体を保持しながら装置本体に対して着脱自在である感光体カートリッジと、光を射出する除電用発光部材と該感光体カートリッジが装置本体に装着された状態で感光体表面に対向する対向面を有し該除電用発光部材から射出された光を該対向面を介して感光体表面に照射するライトガイドとを備える除電部とを有し、特定画像形成ステーションに対して対向配置された単色用１次転写ローラと、複数の画像形成ステーションのうち特定画像形成ステーションを除く全ての画像形成ステーションの各々に対して一対一で対向配置された複数のカラー用１次転写ローラと、単色用１次転写ローラを回転自在に軸支するとともに、特定画像形成ステーションが有するライトガイドを固定支持する単色用支持部材と、複数のカラー用１次転写ローラを回転自在に軸支するとともに、複数の画像形成ステーションのうち特定画像形成ステーションを除く全ての画像形成ステーションが有する複数のライトガイドを固定支持するカラー用支持部材と、単色用支持部材を動かして、単色用１次転写ローラを特定画像形成ステーションに転写ベルトを挟んで離間または当接させるとともに、該単色用支持部材が固定支持する前記ライトガイドをこれが対向する感光体から離間または近接させる単色用ローラ離当接手段と、カラー用支持部材を動かして、複数のカラー用１次転写ローラの全てをそれぞれが対向する画像形成ステーションに転写ベルトを挟んで離間または当接させるとともに、該カラー用支持部材が固定支持する複数のライトガイドをそれぞれが対向する感光体から離間または近接させるカラー用ローラ離当接手段と、単色用ローラ離当接手段による単色用１次転写ローラの離間動作に連動して転写ベルトを特定画像形成ステーションから離間させるとともに、カラー用ローラ離当接手段による複数のカラー用１次転写ローラの離間動作に連動して転写ベルトを複数の画像形成ステーションのうち特定画像形成ステーションを除く全ての画像形成ステーションから離間させるベルト離間手段とをさらに備えるように構成しても良い。
【００１１】
このように構成された画像形成装置では、単色用ローラ離当接手段により単色用支持部材を動かすことで、特定画像形成ステーションに対向する単色用１次転写ローラを、該特定画像形成ステーションから離間させる（単色用ローラ離間動作）。また、カラー用ローラ離当接手段によりカラー用支持部材を動かすことで、複数の画像形成ステーションのうち特定画像形成ステーションを除く全ての画像形成ステーションそれぞれに対向するカラー用１次転写ローラの全てを、それぞれが対向する画像形成ステーションから離間させる（カラー用ローラ離間動作）。また、ベルト離間手段により、単色用ローラ離間動作に連動して、特定画像形成ステーションから転写ベルトを離間させるとともに、カラー用ローラ離間動作に連動して、複数の画像形成ステーションのうち特定画像形成ステーションを除く全ての画像形成ステーションから転写ベルトを離間させる。さらに、単色用ローラ離間動作を実行した場合は、単色用支持部材に固定支持されるライトガイドが、これが対向する感光体から離間されるとともに、カラー用ローラ離間動作を実行した場合は、カラー用支持部材に固定支持される複数のライトガイドが、それぞれが対向する感光体から離間されるように構成されている。したがって、感光体カートリッジの着脱に先立って単色用ローラ離間動作とカラー用ローラ離間動作を同時にあるいは順番に実行した場合、転写ベルトが全ての画像形成ステーションから離間されるとともに、全てのライトガイドは、それぞれが対向する感光体から離間されることとなる。よって、感光体カートリッジの着脱時におけるライトガイドと感光体との相互干渉を考慮することなく、感光体表面に光を照射するライトガイドの対向面を感光体に近接して対向配置することができ、感光体表面の残留電位を効率よく取り除き良好な画像を形成することが可能となる。また、画像形成装置本体を小型化することが可能となる。また、本発明における画像形成装置では、単色用１次転写ローラを軸支する単色用支持部材により特定画像形成ステーションの有するライトガイドを固定支持するとともに、複数のカラー用１次転写ローラを軸支するカラー用支持部材により複数の画像形成ステーションのうち特定画像形成ステーションを除く全ての画像形成ステーションが有する複数のライトガイドを固定支持することで、単色用ローラ離間動作およびカラー用ローラ離間動作にともなうライトガイドの感光体からの離間を実現している。よって、ライトガイドを支持する部材や、ライトガイドを感光体から離間させる手段を別途設ける必要が無く装置構成を簡素化することができる。
【００１２】
また、カラーモード実行後に必要に応じて、単色用ローラ離当接手段による単色用１次転写ローラの特定画像形成ステーションからの離間と、カラー用ローラ離当接手段による、複数のカラー用１次転写ローラのそれぞれが対向する画像形成ステーションからの離間とを実行するように構成しても良い。
【００１３】
上述のように、単色用ローラ離間動作とカラー用ローラ離間動作とを実行した場合は、ベルト離間手段により転写ベルトは全ての画像形成ステーションから離間される。したがって、このように構成された画像形成装置においては、カラーモード実行中は全ての画像形成ステーションに転写ベルトが当接しているが、カラーモード実行後に感光体カートリッジの着脱を行う際には、単色用ローラ離間動作およびカラー用ローラ離間動作を同時にあるいは順番に実行することにより、全ての画像形成ステーションから転写ベルトが離間される。さらに、上述の通り単色用ローラ離間動作およびカラー用ローラ離間動作を実行した場合は、全てのライトガイドはそれぞれが対向する感光体から離間されることとなる。したがって、感光体カートリッジの着脱時におけるライトガイドと感光体との相互干渉を考慮することなく、感光体表面に光を照射するライトガイドの対向面を感光体に近接して対向配置することができ、感光体表面の残留電位を効率よく取り除き良好な画像を形成することが可能となる。また、画像形成装置本体を小型化することが可能となる。
【００１４】
また、単色モード実行時に、カラー用離当接手段により複数のカラー用１次転写ローラをそれぞれが対向する画像形成ステーションから離間させるように構成しても良い。そして、このような画像形成装置において、単色モード実行後に必要に応じて、単色用ローラ離当接手段により、単色用１次転写ローラを特定画像形成ステーションから離間させるように構成しても良い。
【００１５】
このように構成された画像形成装置では、単色モード実行時は、カラー用ローラ離当接手段によりカラー用ローラ離間動作が実行されるとともに、ベルト離間手段により、該カラー用ローラ離間動作に連動して転写ベルトが、特定画像形成ステーションを除く全ての画像形成ステーションから離間されている。よって、単色モード実行後に、単色用ローラ離間動作が行われた場合は、ベルト離間手段により該単色用ローラ離間動作に連動して転写ベルトが特定画像形成ステーションから離間するため、全ての画像形成ステーションから転写ベルトが離間されることとなる。さらに、上述のとおり、単色用ローラ離間動作およびカラー用ローラ離間動作を実行した場合は、全てのライトガイドはそれぞれが対向する感光体から離間されることとなる。したがって、単色モード実行後に感光体カートリッジの着脱を行う際には、単色用ローラ離当接手段による単色用ローラ離間動作を実行するだけで全ての画像形成ステーションから転写ベルトが離間されるとともに、全てのライトガイドがそれぞれが対向する感光体から離間されることとなる。したがって、感光体カートリッジの着脱時におけるライトガイドと感光体との相互干渉を考慮することなく、感光体表面に光を照射するライトガイドの対向面を感光体に近接して対向配置することができ、感光体表面の残留電位を効率よく取り除き良好な画像を形成することが可能となる。また、画像形成装置本体を小型化することが可能となる。
【００１６】
また、複数の画像形成ステーション各々において感光体からのライトガイドの離間にともなって除電用発光部材を該感光体から離間させる、発光部材離間手段をさらに備える構成としても良い。このように構成された画像形成装置では、感光体カートリッジの着脱時におけるライトガイドの感光体からの離間動作にともなって除電用発光部材が発光部材離間手段により感光体から離間される。したがって、除電部を感光体に近接して配置するにあたり感光体カートリッジの着脱時における除電用発光部材と感光体との相互干渉を問題視することなく、除電部を感光体に近接して配置することができる。よって、感光体表面の残留電位を効率よく取り除き良好な画像を形成することが可能となる。また、画像形成装置本体を小型化することが可能となる。
【００１７】
また、上記発明では、発光部材離間手段を用いて感光体カートリッジの着脱時に感光体に対して発光部材を離間させているが、各画像形成ステーションにおいて除電用発光部材をライトガイドに一体的に取り付けても良い。このような構成を採用することで、感光体からのライトガイドの離間にともなって発光部材がライトガイドとともに感光体から離間する。したがって、発光部材離間手段を省略することができ装置構成を簡素化することができる。
【発明を実施するための最良の形態】
【００１８】
（第１実施形態）
図１は本発明にかかる画像形成装置の第１実施形態を示す図である。また、図２は図１の画像形成装置の電気的構成を示す図である。この装置は、ブラック（K）、シアン（C）、マゼンダ（M）、イエロー（Y）の４色のトナー（現像剤）を重ね合わせてフルカラー画像を形成するカラー印字処理、およびブラック（K）のトナーのみを用いてモノクロ画像を形成する単色印字処理を選択的に実行する画像形成装置である。この画像形成装置では、ホストコンピューターなどの外部装置から画像形成指令（印字指令）がメインコントローラ５１０に与えられると、このメインコントローラ５１０からの指令に応じてエンジンコントローラ５２０がエンジン部EG各部を制御して所定の画像形成動作を実行し、複写紙、転写紙、用紙およびOHP用透明シートなどのシート（記録材）Sに画像形成指令に対応する画像を形成する。
【００１９】
本実施形態の画像形成装置が有するハウジング本体３内には、電源回路基板、メインコントローラ５１０およびエンジンコントローラ５２０を内蔵する電装品ボックス５が設けられている。また、画像形成ユニット７、転写ベルトユニット９および給紙ユニット１１もハウジング本体３内に配設されている。また、図１においてハウジング本体３内右側には、２次転写ユニット１２、定着ユニット１３、シート搬送機構１５が配設されている。なお、給紙ユニット１１は、装置本体１に対して着脱自在に構成されている。そして、該給紙ユニット１１および転写ベルトユニット９については、それぞれ取り外して修理または交換を行うことが可能な構成になっている。
【００２０】
画像形成ユニット７は、複数の異なる色の画像を形成する画像形成ステーションY（イエロー用）、M（マゼンダ用）、C（シアン用）、K（ブラック用）を備えている。また、本実施形態においては、画像形成ステーションＫが本発明における「特定画像形成ステーション」に相当する。各画像形成ステーションＹ，Ｍ，Ｃ，Ｋには、それぞれの色のトナー像がその表面に形成される感光体ドラム２１が設けられている。各感光体ドラム２１はそれぞれ専用の駆動モータに接続され図中矢印Ｄ２１の方向に所定速度で回転駆動される。また、感光体ドラム２１の周囲には、回転方向に沿って帯電部２３、像書込部２９、現像部２５、除電部１９および感光体クリーナ２７が配設されている。そして、これらの機能部によって帯電動作、潜像形成動作、トナー現像動作および除電動作が実行される。なお、図１において、画像形成ユニット７の各画像形成ステーションは構成が互いに同一のため、図示の便宜上一部の画像形成ステーションのみに符号をつけて、他の画像形成ステーションについては符号を省略する。
【００２１】
帯電部２３は、その表面が弾性ゴムで構成された帯電ローラを備えている。この帯電ローラは帯電位置で感光体ドラム２１の表面と当接して従動回転するように構成されており、感光体ドラム２１の回転動作に伴って感光体ドラム２１に対して従動方向に周速で従動回転する。また、この帯電ローラは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００２２】
像書込部２９は、発光ダイオードやバックライトを備えた液晶シャッタ等の素子を感光体ドラム２１の軸方向（図１の紙面に対して垂直な方向）に列状に配列したアレイ状書込ヘッドを用いており、感光体ドラム２１から離間配置されている。また、アレイ状書込ヘッドは、レーザー走査光学系よりも光路長が短くてコンパクトである。そのため、感光体ドラム２１に対して近接配置が可能であり、装置全体を小型化できるという利点を有する。
【００２３】
そして、本実施形態においては、各画像形成ステーションＹ，Ｍ，Ｃ，Ｋの感光体ドラム２１、帯電部２３、現像部２５および感光体クリーナ２７を感光体カートリッジ１７Ｙ，１７Ｍ，１７Ｃ，１７Ｋ（図２）としてユニット化している。また、各感光体カートリッジ１７Ｙ，１７Ｍ，１７Ｃ，１７Ｋには、該感光体カートリッジに関する情報を記憶するための不揮発性メモリ９１０，９２０，９３０，９４０がそれぞれ設けられている。そして、各感光体カートリッジに設けられた送受信部５３０Ｙ，５３０Ｍ，５３０Ｃ，５３０Ｋと、本体側に設けられた送受信部５２２０Ｙ，５２２０Ｍ，５２２０Ｃ，５２２０Ｋとがそれぞれ互いに近接配置され、エンジンコントローラ５２０のＣＰＵ５２１０とメモリ９１０，９２０，９３０，９４０との間で無線通信が行われる。こうすることで、各感光体カートリッジに関する情報がＣＰＵ５２１０に伝達されるとともに、各メモリ９１０，９２０，９３０，９４０内の情報が更新記憶される。
【００２４】
次に、現像部２５の詳細について、画像形成ステーションＫを代表して説明する。この現像部２５は、トナーを貯留するトナー貯留容器３１と、このトナー貯留容器３１内に配置された２つのトナー撹拌供給部材３３，３５と、トナー攪拌供給部材３５に近接配置された仕切部材３７と、仕切部材３７の上方に配設されたトナー供給ローラ３９と、トナー供給ローラ３９および感光体ドラム２１に当接して所定の周速で図示矢印方向に回転する現像ローラ４１と現像ローラ４１に当接される規制ブレード４３とから構成されている。
【００２５】
そして、各現像部２５では、トナー攪拌供給部材３５により撹拌、運び上げられたトナーは、仕切部材３７の上面に沿ってトナー供給ローラ３９に供給される。また、こうして供給されたトナーはトナー供給ローラ３９を介して現像ローラ４１の表面に供給される。そして、現像ローラ４１に供給されたトナーは規制ブレード４３により所定厚さの層厚に規制され、感光体ドラム２１へと搬送される。そして、現像ローラ４１と電気的に接続された現像バイアス発生部（図示省略）から現像ローラ４１に印加される現像バイアスによって、現像ローラ４１と感光体ドラム２１とが当接する現像位置において、帯電トナーが現像ローラ４１から感光体ドラム２１に移動して像書込部２９により形成された静電潜像が顕在化される。
【００２６】
このように上記現像位置において顕在化されたトナー像は、感光体ドラム２１の回転方向Ｄ２１に搬送された後、後に詳述する転写ベルト５３と各感光体ドラム２１が当接する１次転写位置ＴＲ１において転写ベルト５３に１次転写される。
【００２７】
除電部１９は、トナー像を転写ベルト５３に１次転写した後の感光体ドラム２１の表面を露光して感光体ドラム表面上の残留電位を取り除くため、感光体ドラムの回転方向Ｄ２１において１次転写位置ＴＲ1より下流側に、感光体ドラム２１の表面に対向して配設されている。
【００２８】
図３（ａ）は、各画像形成ステーションにおける１次転写位置ＴＲ１のそれぞれを結んだ直線と略平行方向である図中矢印Ｄ１９に対して垂直方向から見た除電部１９の構成を表した図である。また、図３（ｂ）は、これの斜視図である。本実施形態においては、除電部１９は２つの除電用発光部材１９１ａ，１９１ｂとライトガイド１９３とで構成されており、ライトガイド１９３の両端に発光部材１９１ａ，１９１ｂがそれぞれ取り付けられた一体構造を有している。また、その構造は、図３において破線で示す対称軸１９Ｘを中心に対称に構成されている。
【００２９】
ライトガイド１９３は、感光体ドラム２１に近接して対向配置できるよう薄い板状に構成されている。そして、ライトガイド１９３は、その長軸方向（同図（ａ）の左右方向）の両端に、除電用発光部材１９１ａ，１９１ｂからの光が入射される２つの光入射面１９４ａ，１９４ｂを有するとともに、それぞれの入射光を反射する２つの光反射面１９５ａ，１９５ｂと、感光体ドラム２１に対向し光反射面１９５ａ，１９５ｂそれぞれで反射された光を感光体ドラム表面に照射する光照射面１９６とを備える。また、光反射面１９５ａおよび１９５ｂは、ライトガイド１９３の長軸方向において、ライトガイド１９３の各両端からライトガイド１９３の内部に進むにしたがって光照射面１９６に接近するよう伸びるとともに、対称軸１９Ｘにおいて相互に接続されるように構成されている。
【００３０】
除電用発光部材１９１ａ，１９１ｂは、ライトガイド１９３の長軸方向における各両端にそれぞれ配設されるとともに、ライトガイド１９３の長軸方向における各両端に設けられた光入射面１９４ａ，１９４ｂそれぞれに対向するよう配置されライトガイド１９３内部に向けて光を照射するＬＥＤ１９２ａ，１９２ｂをその内部に有する。
【００３１】
図３（ｃ）は、光反射面１９５ａ，１９５ｂの拡大図である。このように、各光反射面の表面は、ライトガイド１９３の長軸方向においてライトガイド１９３の各両端からライトガイド１９３の内部に進むにつれて多くのステップ形状を有するように構成されている。このように光反射面１９５ａ，１９５ｂの表面を構成する理由は、次の通りである。一般に、光源から照射される光は、光源からの距離が遠くなるほど減衰する。よって、光反射面１９５ａおよび１９５ｂの表面の光反射率を一様に構成した場合、それぞれに光を入射する光源であるＬＥＤ１９２ａ，１９２ｂからの距離が遠くなるほど光反射面１９５ａ，１９５ｂで反射される光が少なくなり、光照射面１９６から照射される光にムラが生じることとなる。そこで、光反射面１９５ａ，１９５ｂの表面に上述のステップ形状を設け、それぞれに光を入射する光源であるＬＥＤ１９２ａ，１９２ｂからの距離が遠い部分ほど、より高い反射率を有するよう光反射面１９５ａ，１９５ｂの表面を構成した。このように構成することで、光照射面１９６から一様な光が照射されることとなり、感光体ドラム２１表面の残留電位を良好に取り除くことができる。
【００３２】
このように、本実施形態における除電部１９は、除電用発光部材１９１ａ，１９１ｂから入射する光を、光反射面１９５ａ，１９５ｂにより感光体ドラム２１の表面に対向する光照射面１９６に向けて反射することで、感光体ドラム２１の表面に一様な光を照射し該表面の残留電位を取り除くように構成されたライトガイド１９３を採用している。このように構成されたライトガイド１９３は、感光体ドラム２１に対向して多数のＬＥＤを並べて構成されたものと比較して小型化が可能であり、感光体ドラム２１に近接して対向配置することができる。
【００３３】
また、この実施形態では、感光体ドラム２１の回転方向Ｄ２１において除電部１９の下流側に、感光体ドラム２１の表面に当接して感光体クリーナ２７が設けられている。この感光体クリーナ２７は、感光体ドラムの表面に当接することで１次転写後に感光体ドラム２１の表面に残留するトナーをクリーニング除去する。
【００３４】
転写ベルトユニット９は、ハウジング本体３の下方に配設された駆動ローラ４９と、駆動ローラ４９の斜め上方に配設される従動ローラ５１と、これらのローラに張架され図示矢印Ｄ５３の方向へ循環駆動される転写ベルト５３と、該転写ベルト５３を張る方向に付勢されたテンションローラ５５とを備えている。さらに、転写ベルトユニット９は、転写ベルト５３の内側に、感光体カートリッジ装着時において各画像形成ステーションＹ，Ｍ，Ｃ，Ｋが有する感光体ドラム２１それぞれに対向して配置された１次転写ローラ５７Ｙ，５７Ｍ，５７Ｃ，５７Ｋを備えている。これらの１次転写ローラは、それぞれ１次転写バイアス発生部５２５０と電気的に接続されている。そして、これらの１次転写ローラを、それぞれが対向する感光体ドラム２１に転写ベルト５３を挟んで当接させるとともに、適当なタイミングで前記１次転写バイアス発生部５２５０から１次転写バイアスを印加することで、各感光体ドラム２１の表面上に形成されたトナー像を、各感光体ドラムと転写ベルト５３とが当接する１次転写位置ＴＲ1において転写ベルト５３上に転写することができる。
【００３５】
駆動ローラ４９は、転写ベルト５３を図示矢印Ｄ５３の方向に循環駆動するとともに、２次転写ローラ７５のバックアップローラを兼ねている。駆動ローラ４９の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラ１９を介して供給される２次転写バイアスの導電経路としている。このように駆動ローラ４９に高摩擦かつ衝撃吸収性を有するゴム層を設けることにより、駆動ローラ４９と２次転写ローラ７５との当接部分（２次転写位置ＴＲ２）へのシートＳが進入する際の衝撃が転写ベルト５３に伝達しにくく、画質の劣化を防止することができる。
【００３６】
１次転写ローラ５７Ｙ，５７Ｍ，５７Ｃ（本発明における「カラー用１次転写ローラ」に相当する）は、カラー回動軸５９を中心として図中矢印Ｄ５９の方向に回動可能であるとともに該方向に付勢されているカラーローラ支持フレーム６１（本発明における「カラー用支持部材」に相当する）に回転自在に軸支されている。また、カラーローラ支持フレーム６１は、画像形成ステーションＹ，Ｍ，Ｃそれぞれが有する複数の除電部１９を固定支持する。さらに、カラーローラ支持フレーム６１は、アクチュエータ６７により回転駆動されるカム回転軸６３に固定されたカラーフレーム用カム６５の円弧面を該カラーローラ支持フレーム６１に当接させた場合に、１次転写ローラ５７Ｙ，５７Ｍ，５７Ｃが転写ベルト５３を挟んで各画像形成ステーションＹ，Ｍ，Ｃの有する感光体ドラム２１それぞれに当接するとともに、該カラーローラ支持フレーム６１により固定支持される複数の除電部１９それぞれが有する光照射面１９６が、各画像形成ステーションＹ，Ｍ，Ｃの有する感光体ドラム２１それぞれに近接するように構成されている。また、上記カラーフレーム用カム６５の円弧面を上記カラーローラ支持フレーム６１から外した場合は、上記カラーローラ支持フレーム６１の付勢方向Ｄ５９に各１次転写ローラ５７Ｙ，５７Ｍ，５７Ｃはそれぞれが対向する感光体ドラム２１から離間する（カラー用ローラ離間動作）とともに、カラーローラ支持フレーム６１により固定支持される複数の除電部１９もそれぞれが対向する感光体ドラム２１から離間することとなる（カラー用ガイド離間動作）。このように、本実施形態では、アクチュエータ６７とカム回転軸６３とカラーフレーム用カム６５とが本発明における「カラー用ローラ離当接手段」として機能している。また、アクチュエータ６７はアクチュエータ制御部５２７０（図２）と電気的に接続されており、ＣＰＵ５２１０からの指令に対応する該アクチュエータ制御部５２７０からの信号によりアクチュエータ６７の回転角度が調整されるよう構成されている。
【００３７】
１次転写ローラ５７Ｋ（本発明における「単色用１次転写ローラ」に相当する）は、モノクロ回動軸６９を中心として図中矢印Ｄ６９方向に回動可能であるとともに該方向に付勢されているモノクロローラ支持フレーム７１（本発明における「単色用支持部材」に相当する）に回転自在に軸支されている。また、モノクロローラ支持フレーム７１は、画像形成ステーションＫが有する除電部１９を固定支持する。また、モノクロローラ支持フレーム７１は、アクチュエータ６７により回転駆動されるカム回転軸６３に固定されたモノクロフレーム用カム７３の円弧面を、該モノクロローラ支持フレーム７１に当接させた場合に、１次転写ローラ５７Ｋが転写ベルト５３を挟んで画像形成ステーションＫの有する感光体ドラム２１に当接するとともに、該モノクロローラ支持フレーム７１により固定支持される除電部１９が有する光照射面１９６が、画像形成ステーションＫの有する感光体ドラム２１に近接するように構成されている。また、上記モノクロフレーム用カム７３の円弧面を上記モノクロローラ支持フレーム７１から外した場合は、上記モノクロローラ支持フレーム７１の付勢方向Ｄ６９に、１次転写ローラ５７Ｋはそれが対向する感光体ドラム２１から離間する（単色用ローラ離間動作）とともに、モノクロローラ支持フレーム７１により固定支持される除電部１９もそれが対向する感光体ドラム２１から離間することとなる（単色用ガイド離間動作）。このように、本実施形態では、アクチュエータ６７とカム回転軸６３とモノクロフレーム用カム７３とが本発明における「単色用ローラ離当接手段」として機能している。
【００３８】
さらに本実施形態においては、カラーフレーム用カム６５の円弧面はモノクロフレーム用カム７３の円弧面と重なるとともに、モノクロフレーム用カム７３の円弧面よりも短く構成されている。したがって、アクチュエータ制御部５２７０によりアクチュエータ６７の回転角度を調整することで、１次転写ローラ５７Ｋを画像形成ステーションＫの有する感光体ドラム２１に当接させたまま、１次転写ローラ５７Ｙ，５７Ｍ，５７Ｃをそれぞれが対向する感光体ドラム２１から離間または当接することができる。また、カラー用ローラ離間動作が実行された際には、該離間動作に連動して上述のテンションローラ５５が転写ベルト５３を張る方向に移動することで転写ベルト５３にテンションを与えるため、転写ベルト５３も画像形成ステーションＹ，Ｍ，Ｃそれぞれが有する感光体ドラム２１から離間することとなる（カラー用ベルト離間動作）。したがって、アクチュエータの回転角度を適当に調整することで、転写ベルト５３を画像形成ステーションＹ，Ｍ，Ｃ，Ｋの有する感光体ドラム２１全てに当接させて行うカラー印字処理（図１）と、転写ベルト５３を画像形成ステーションＫの有する感光体ドラム２１にのみ当接させるとともに画像形成ステーションＹ，Ｍ，Ｃの有する感光体ドラム２１から離間させて行う単色印字処理（図４）とを選択的に実行可能となる。また、アクチュエータ制御部５２７０はＣＰＵ５２１０からの指令に応じてアクチュエータ６７を調整するよう構成しているため、ＣＰＵ５２１０から適当な指令を出すことで上述のカラー印字処理または単色印字処理を選択的に実行できる。また、上述のように、本実施形態では、カラー用ローラ離間動作が実行された場合は、必ずカラー用ガイド離間動作も実行される。したがって、カラー用ベルト離間動作が実行された場合は、必ずカラー用ガイド離間動作も実行されることとなる。
【００３９】
また、図４の状態からカム回転軸６３を回転させることでモノクロフレーム用カム７３の円弧面をモノクロローラ支持フレーム７１から離間させた場合は、図５に示すように単色用ローラ離間動作が実行されるため、全ての１次転写ローラがそれぞれ対向する感光体ドラム２１から離間することとなる。また、この際、上述のテンションローラ５５が単色用ローラ離間動作に連動して転写ベルト５３を張る方向に移動することで転写ベルト５３にテンションを与えるため、転写ベルト５３も画像形成ステーションＫが有する感光体ドラム２１から離間することとなる（単色用ベルト離間動作）。このように、本実施形態では、テンションローラ５５が本発明の「ベルト離間手段」として機能している。また、上述のように、単色用ローラ離間動作が実行された場合は、必ず単色用ガイド離間動作が実行される。したがって、単色用ベルト離間動作が実行された場合は、必ず単色用ガイド離間動作も実行されることとなる。さらに、上述のように、本実施形態では、カラーフレーム用カム６５の円弧面はモノクロフレーム用カム７３の円弧面と重なるとともに、モノクロフレーム用カム７３の円弧面よりも短く構成されている。これにより、単色用ベルト離間動作を実行した場合は必ずカラー用ベルト離間動作が実行される。よって、本実施形態においては、単色用ベルト離間動作を実行することで、画像形成ステーションＹ，Ｍ，Ｃ，Ｋの有する感光体ドラム２１全てから転写ベルト５３を離間させることができるとともに、全ての除電部１９をそれぞれが対向する感光体ドラム２１から離間させることができる。
【００４０】
給紙ユニット１１は、シートＳが積層保持されている給紙カセット７７と、給紙カセット７７からシートＳを一枚ずつ給紙するピックアップローラ７９とを有する給紙部を備えている。ピックアップローラ７９により給紙部から給紙されたシートＳは、レジストローラ対８１において給紙タイミングが調整された後、２次転写位置ＴＲ２に給紙される。
【００４１】
２次転写ローラ７５は、転写ベルト５３に対して離当接自在に設けられ、２次転写ローラ駆動機構（図示省略）により離当接駆動される。定着ユニット１３は、ハロゲンヒータ等の発熱体を内蔵して回転自在な加熱ローラ８３と、この加熱ローラ８３を押圧付勢する加圧ローラ８５とを有している。そして、シートＳに２次転写された画像は、加熱ローラ８３と加圧ローラ８５とで形成するニップ部で所定の温度でシートＳに定着される。本実施形態においては、転写ベルト５３の斜め上方に形成される空間、換言すれば、転写ベルト１６に対して画像形成ユニット７と反対側の空間に定着ユニット１３を配設することが可能となり、電装品ボックス５、画像形成ユニット７および転写ベルト５３への熱伝導が低減することができ、これらに対する温度変動の影響を低減することができる。また、こうして定着処理を受けたシートＳは排紙ローラ対８７を経由してハウジング本体３の上面部に設けられた排紙トレイ４に搬送される。
【００４２】
また、この装置では、図２に示すように、メインコントローラ５１０のＣＰＵ５１１０により制御される表示部５４０が備えられている。この表示部５４０は、例えば液晶ディスプレイにより構成され、ＣＰＵ５１１０からの制御指令に応じて、ユーザーへの操作案内や画像形成動作の進行状況、さらに装置の異常発生やいずれかのユニットの交換時期などを知らせるための所定のメッセージを表示する。
【００４３】
なお、図２において、符号５１３０はホストコンピューターなどの外部装置よりインターフェース５１２０を介して与えられた画像を記憶するためにメインコントローラ５１０に設けられた画像メモリである。また、符号５２３０はＣＰＵ５２１０が実行する演算プログラムやエンジン部ＥＧを制御するための制御データなどを記憶するためのＲＯＭ、また符号５２４０はＣＰＵ５２１０における演算結果やその他のデータを一時的に記憶するＲＡＭである。
【００４４】
次に、上記のように構成された画像形成装置における、感光体カートリッジの着脱動作について説明する。ここで、例えば感光体カートリッジ１７内の感光体ドラム２１が所定の寿命に達すると、感光体カートリッジ１７の交換が必要となる。その場合、まず最初に、装置本体に装着されて画像形成ステーションを構成している感光体カートリッジ１７の取出作業が必要となる。そこで、この画像形成装置では、ＣＰＵ５１１０が表示部５４０に感光体カートリッジ１７の交換要求表示を指令し、表示部５４０に交換要求を表示させる。そして、これを確認したオペレータが感光体カートリッジ交換のための動作、例えば表示部５４０に隣接して設けられる操作部（図示省略）の特定ボタンを押動すると、メインコントローラ５１０からエンジンコントローラ５２０に感光体カートリッジ交換が指示される。この装置では、上述のとおり単色用ローラ離間動作を実行することで単色用ベルト離間動作、カラー用ベルト離間動作、単色用ガイド離間動作およびカラー用ガイド離間動作のすべてを実行することができる。したがって、カラー印字処理の実行後であるか単色印字処理の実行後であるかを問わず、感光体カートリッジ交換指令を受けたエンジンコントローラ５２０はアクチュエータ制御部５２７０に単色用ローラ離間指令を出力するだけで単色用ベルト離間動作、カラー用ベルト離間動作、単色用ガイド離間動作およびカラー用ガイド離間動作を実行する。すなわち、ＣＰＵ５２１０は予めＲＯＭ５２３０に記憶されているベルト離間プログラムにしたがって装置各部を制御して転写ベルト５３を画像形成ステーションＹ，Ｍ，Ｃ，Ｋから離間させ、感光体ドラム２１と転写ベルト５３とを相互に離間させるとともに、除電部１９を感光体ドラム２１から離間させる（図５）。
【００４５】
そして、感光体ドラム２１からの転写ベルト５３および除電部１９の離間動作が完了すると、メインコントローラ５１０のＣＰＵ５１１０からの指令により感光体カートリッジの交換が可能となった旨の表示が表示部５４０に表示される。これを受けてオペレータは、感光体ドラム２１から転写ベルト５３および除電部１９が離間した状態で、交換対象となっている感光体カートリッジを装置本体から取り外す。その後、新しい感光体カートリッジを装置本体に装着する。この装着時にも、感光体カートリッジの取外し段階と同様に、転写ベルト５３および除電部１９は離間位置に位置決めされた状態となっている。
【００４６】
以上のように本実施形態においては、除電部１９としてライトガイド１９３を備えた小型のものを採用するとともに、感光体カートリッジ１７の着脱を行う際は、必ず各除電部１９をそれぞれが対向する感光体ドラム２１から離間する。したがって、感光体カートリッジ１７の着脱動作時において感光体ドラム２１とこれに対向するライトガイド１９３が相互に干渉することで、感光体ドラム２１またはライトガイド１９３を損傷するのを防止している。これにより、ライトガイド１９３の光照射面１９６を、感光体ドラム２１に近接して対向配置することが可能となり、ライトガイド１９３の光照射面１９６から照射された光が他の部材等に遮られることなく感光体ドラム２１の表面を露光できる。したがって、効率的に感光体ドラム２１表面の残留電位を取り除くことができ、良好な画像形成が可能となる。また、画像形成装置本体の小型化を可能とする。
【００４７】
また、本実施形態においては、画像形成ステーションＫが有する感光体ドラム２１に対向する除電部１９をモノクロローラ支持フレーム７１により固定支持することで、単色用ガイド離間動作が単色用ローラ離間動作にともなって行われるように構成しているとともに、画像形成ステーションＹ，Ｍ，Ｃが有する感光体ドラム２１それぞれに対向する除電部１９をカラーローラ支持フレーム６１により固定支持することで、カラー用ガイド離間動作がカラー用ローラ離間動作にともなって行われるように構成している。これにより、画像形成ステーションＹ，Ｍ，Ｃ，Ｋが有する除電部１９を支持する部材や、該除電部１９をそれぞれが対向する感光体ドラム２１から離間させる手段等を別途設ける必要が無く装置の簡素化が図られている。
【００４８】
さらに、本実施形態においては、カラーフレーム用カム６５の円弧面はモノクロフレーム用カム７３の円弧面と重なるとともに、モノクロフレーム用カム７３の円弧面よりも短く構成されている。これにより、単色用ベルト離間動作を実行した場合は必ずカラー用ベルト離間動作が実行される。よって、本実施形態においては、カラー印字処理実行後であるか単色印字処理実行後であるかを問わず、単色用ベルト離間動作を実行することで、画像形成ステーションＹ，Ｍ，Ｃ，Ｋの有する感光体ドラム２１全てから転写ベルト５３を離間させることができるとともに、全ての除電部１９をそれぞれが対向する感光体ドラム２１から離間させることができるため、制御手段の簡素化が図られている。
【００４９】
（第２実施形態）
図６は本発明の別の実施形態（第２実施形態）を示す図である。この実施形態においては、カラーローラ支持フレーム６１をカラー用ソレノイド４７により固定支持するとともに、モノクロローラ支持フレーム７１をモノクロ用ソレノイド４８により固定支持するように構成している。また、その他の構成は、第１実施形態と同様である。図７は第２実施形態における画像形成装置の電気的構成を示す図である。第２実施形態では、上記カラー用ソレノイド４７およびモノクロ用ソレノイド４８をＣＰＵ５２１０からの指令に基づいて制御するために、カラー用ソレノイド４７に電気的に接続されたカラー用ソレノイド制御部５２８０およびモノクロ用ソレノイド４８に電気的に接続されたモノクロ用ソレノイド制御部５２９０が設けられている。また、その他の電気的構成は、第１実施形態と同様である。
【００５０】
第２実施形態においては、カラー用ソレノイド４７のストロークをＤ４７の方向に調整することで１次転写ローラ５７Ｙ，５７Ｍ，５７Ｃをそれぞれが対向する感光体ドラム２１から離間または当接させるとともに、カラーローラ支持フレーム６１に固定支持される除電部１９をそれぞれが対向する感光体ドラム２１から離間または近接させるように構成している。また、モノクロ用ソレノイド４８のストロークをＤ４８の方向に調整することで１次転写ローラ５７Ｋをそれが対向する感光体ドラム２１から離間または当接させるとともに、モノクロローラ支持フレーム７１に固定支持される除電部１９をそれが対向する感光体ドラム２１から離間または近接させるように構成している。つまり、図６における実施形態では、カラー用ソレノイド４７が本発明における「カラー用ローラ離当接手段」に相当するとともに、モノクロ用ソレノイド４８が本発明における「単色用ローラ離当接手段」に相当する。また、１次転写ローラ５７Ｙ，５７Ｍ，５７Ｃをそれぞれが対向する感光体ドラム２１から離間（カラー用ローラ離間動作）させた場合は、テンションローラ５５により転写ベルト５３にテンションが与えられるため転写ベルト５３も１次転写ローラ５７Ｙ，５７Ｍ，５７Ｃそれぞれが対向する感光体ドラム２１から離間（カラー用ベルト離間動作）される。さらに、１次転写ローラ５７Ｋをそれが対向する感光体ドラム２１から離間（単色用ローラ離間動作）をさせた場合は、テンションローラ５５により転写ベルト５３にテンションが与えられるため転写ベルト５３も１次転写ローラ５７Ｋが対向する感光体ドラム２１から離間される（単色用ベルト離間動作）。このように、第２実施形態においても、第１実施形態と同様にテンションローラ５５が本発明における「ベルト離間手段」として機能している。よって、第２実施形態においても、カラー用ソレノイド４７のストロークをＤ４７の方向に調整することで、全ての１次転写ローラ４７Ｙ，４７Ｍ，４７Ｃ，４７Ｋをそれぞれが対向する感光体ドラム２１に当接して行うカラー印字処理と、１次転写ローラ４７Ｋのみをそれが対向する感光体ドラム２１に当接して行う単色印字処理を選択的に実行することができる。
【００５１】
また、第２実施形態においても、第１実施形態同様に、除電部１９は、カラーローラ支持フレーム６１およびモノクロローラ支持フレーム７１により固定支持されている。よって、カラー用ベルト離間動作が実行された場合は、これにともなって、カラーローラ支持フレーム６１に固定支持される除電部１９はそれぞれが対向する感光体ドラム２１から離間される。また、単色用ローラ離間動作が実行された場合は、これにともなって、モノクロローラ支持フレーム７１に固定支持される除電部１９はそれが対向する感光体ドラム２１から離間される。
【００５２】
次に、上記のように構成された画像形成装置における、カラーモード実行後の感光体カートリッジの着脱動作について説明する。この装置では、カラーモード実行時においては、図６に示すように、転写ベルト５３は各画像形成ステーションＹ，Ｍ，Ｃ，Ｋの感光体ドラム２１と当接している。ここで、例えば感光体カートリッジ内の感光体ドラム２１が所定の寿命に達すると、感光体カートリッジの交換が必要となる。その場合、まず最初に、装置本体に装着されて画像形成ステーションを構成している感光体カートリッジの取出作業が必要となる。そこで、この画像形成装置では、ＣＰＵ５１１０が表示部５４０に感光体カートリッジ１７の交換要求表示を指令し、表示部５４０に交換要求を表示させる。そして、これを確認したオペレータが感光体カートリッジ交換のための動作、例えば表示部５４０に隣接して設けられる操作部（図示省略）の特定ボタンを押動すると、メインコントローラ５１０からエンジンコントローラ５２０に感光体カートリッジ交換が指示される。これを受けたエンジンコントローラ５２０はモノクロ用ソレノイド制御部５２９０に単色用ベルト離間指令を出力して上述した単色用ベルト離間動作を実行するとともに、カラー用ソレノイド制御部５２８０にカラー用ベルト離間指令を出力して上述したカラー用ベルト離間動作を実行する。また、上述した通り第２実施形態においても第１実施形態と同様に、画像形成ステーションＹ，Ｍ，Ｃ，Ｋそれぞれの有する除電部１９は、カラーローラ支持フレーム６１およびモノクロローラ支持フレーム７１により固定支持されている。よって、エンジンコントローラ５２０からの指令により、単色用ベルト離間動作とカラー用ベルト離間動作を実行した場合は、全ての除電部１９がそれぞれが対向する感光体ドラム２１から離間されることとなる。すなわち、ＣＰＵ５２１０は予めＲＯＭ５２３０に記憶されているカラーモード時ベルト離間プログラムにしたがって装置各部を制御して転写ベルト５３を画像形成ステーションＹ，Ｍ，Ｃ，Ｋから離間させ、感光体ドラム２１と転写ベルト５３とを相互に離間させるとともに、除電部１９を感光体ドラム２１から離間させる（図８）。また、上述では、単色用ベルト離間動作およびカラー用ベルト離間動作をほぼ同時に行っているが、これらのタイミングは同時である必要は無い。つまり、単色用ベルト離間動作を行った後カラー用ベルト離間動作を行っても良いし、この逆であっても良い。
【００５３】
そして、感光体ドラム２１からの転写ベルト５３および除電部１９の離間動作が完了すると、メインコントローラ５１０のＣＰＵ５１１０からの指令により感光体カートリッジの交換が可能となった旨の表示が表示部５４０に表示される。これを受けてオペレータは、感光体ドラム２１から転写ベルト５３および除電部１９が離間した状態で、交換対象となっている感光体カートリッジを装置本体から取り外す。その後、新しい感光体カートリッジを装置本体に装着する。この装着時にも、感光体カートリッジの取外し段階と同様に、転写ベルト５３および除電部１９は離間位置に位置決めされた状態となっている。
【００５４】
次に、上記のように構成された画像形成装置における、単色モード実行後の感光体カートリッジの着脱動作について説明する。この装置では、単色モード実行時においては、転写ベルト５３は画像形成ステーションＹ，Ｍ，Ｃからは離間しており、画像形成ステーションＫの感光体ドラム２１とのみ当接している。ここで、例えば感光体カートリッジ内の感光体ドラム２１が所定の寿命に達すると、感光体カートリッジの交換が必要となる。その場合、まず最初に、装置本体に装着されて画像形成ステーションを構成している感光体カートリッジの取出作業が必要となる。そこで、この画像形成装置では、ＣＰＵ５１１０が表示部５４０に感光体カートリッジの交換要求表示を指令し、表示部５４０に交換要求を表示させる。そして、これを確認したオペレータが感光体カートリッジ交換のための動作、例えば表示部５４０に隣接して設けられる操作部（図示省略）の特定ボタンを押動すると、メインコントローラ５１０からエンジンコントローラ５２０に感光体カートリッジ交換が指示される。これを受けたエンジンコントローラ５２０は、既に画像形成ステーションＹ，Ｍ，Ｃから転写ベルト５３が離間しているため、モノクロ用ソレノイド制御部５２９０に対する単色用ベルト離間指令のみを出力して上述した単色用ベルト離間動作を実行する。また、上述の通り第２実施形態においても第１実施形態と同様に、画像形成ステーションＹ，Ｍ，Ｃ，Ｋそれぞれの有する除電部１９は、カラーローラ支持フレーム６１およびモノクロローラ支持フレーム７１により固定支持されている。よって、１次転写ローラ５７Ｙ，５７Ｍ，５７Ｃ，５７Ｋが全ての感光体ドラム２１から離間している状態においては、全ての除電部１９はそれぞれが対向する感光体ドラム２１から離間される。すなわち、ＣＰＵ５２１０は予めＲＯＭ５２３０に記憶されている単色モード時ベルト離間プログラムにしたがって装置各部を制御して転写ベルト５３を画像形成ステーションＫから離間させ、感光体ドラム２１と転写ベルト５３とを相互に離間させるとともに、除電部１９を感光体ドラム２１から離間させる（図８）。
【００５５】
そして、感光体ドラム２１からの転写ベルト５３および除電部１９の離間動作が完了すると、メインコントローラ５１０のＣＰＵ５１１０からの指令により感光体カートリッジの交換が可能となった旨の表示が表示部５４０に表示される。これを受けてオペレータは、感光体ドラム２１から転写ベルト５３および除電部１９が離間した状態で、交換対象となっている感光体カートリッジを装置本体から取り外す。その後、新しい感光体カートリッジを装置本体に装着する。この装着時にも、感光体カートリッジの取外し段階と同様に、転写ベルト５３および除電部１９は離間位置に位置決めされた状態となっている。
【００５６】
また、このような画像形成装置においては、カラーモードと単色モードとの相互の切り換え動作は、ＣＰＵ５２１０からカラー用ソレノイド制御部５２８０に対してカラーモード指令または単色モード指令を出力することにより実行できる。つまり、単色モード実行後にカラーモード指令が出力された場合は、カラー用ソレノイド制御部５２８０によりカラー用ソレノイド４７のストロークを調整し、１次転写ローラ５７Ｙ，５７Ｍ，５７Ｃを、転写ベルト５３を挟んでそれぞれが対向する感光体ドラム２１に当接させる。これにより転写ベルト５３は画像形成ステーションＹ，Ｍ，Ｃと当接することとなる。また逆に、カラーモード実行後に単色モード指令が出力された場合は、上述のカラー用ベルト離間動作と同様の動作を実行することで、転写ベルト５３を画像形成ステーションＹ，Ｍ，Ｃから離間させることができる。
【００５７】
以上のように第２実施形態においては、除電部１９としてライトガイド１９３を備えた小型のものを採用するとともに、感光体カートリッジ１７の着脱を行う際は、必ず各除電部１９をそれぞれが対向する感光体ドラム２１から離間する。したがって、感光体カートリッジ１７の着脱動作時において感光体ドラム２１とこれに対向するライトガイド１９３が相互に干渉することで、感光体ドラム２１またはライトガイド１９３を損傷するのを防止している。これにより、ライトガイド１９３の光照射面１９６を、感光体ドラム２１に近接して対向配置することが可能となり、ライトガイド１９３の光照射面１９６から照射された光が他の部材等に遮られることなく感光体ドラム２１の表面を露光できる。したがって、効率的に感光体ドラム２１表面の残留電位を取り除くことができ、良好な画像形成が可能となる。また、画像形成装置本体の小型化を可能とする。
【００５８】
また、本実施形態においては、画像形成ステーションＫが有する感光体ドラム２１に対向する除電部１９をモノクロローラ支持フレーム７１により固定支持することで、単色用ローラ離間動作にともなって該除電部１９のそれが対向する感光体ドラム２１からの離間を実行する単色用ローラ離当接手段を実現しているとともに、画像形成ステーションＹ，Ｍ，Ｃが有する感光体ドラム２１それぞれに対向する除電部１９をカラーローラ支持フレーム６１により固定支持することで、カラー用ローラ離間動作にともなって該除電部１９のそれぞれが対向する感光体ドラム２１からの離間を実行するカラー用ローラ離当接手段を実現している。これにより、画像形成ステーションＹ，Ｍ，Ｃ，Ｋが有する除電部１９を支持するフレームや、該除電部１９をそれぞれが対向する感光体ドラム２１から離間させる手段等を別途設ける必要が無く装置の簡素化が図られている。
【００５９】
（第３実施形態）
また、本発明は、カラー印字処理と単色印字処理とを選択的に実行する画像形成装置だけでなく、カラー印字処理のみを実行する画像形成装置についても適用可能である。図９は、カラー印字処理のみを実行する画像形成装置における本発明の実施形態（第３実施形態）である。この実施形態においては、一つの支持部材８９が１次転写ローラ５７Ｙ，５７Ｍ，５７Ｃ，５７Ｋを回転自在に軸支するとともに、画像形成ステーションＹ，Ｍ，Ｃ，Ｋの有する除電部１９を固定支持している。また、支持部材８９はソレノイド９１に支持されている。よって、ソレノイド９１のストロークを調整することで、１次転写ローラ５７Ｙ，５７Ｍ，５７Ｃ，５７Ｋをそれぞれが対向する感光体から離間または当接させることができるとともに、画像形成ステーションＹ，Ｍ，Ｃ，Ｋの有する除電部１９の対向面１９６を、それぞれが対向する感光体ドラム２１から離間または近接させることができる。つまり、第３実施形態においては、ソレノイド９１が本発明における「ローラ離当接手段」に相当している。また、ソレノイド９１のストロークを調整して全ての１次転写ローラを、それぞれが対向する感光体ドラム２１から離間させた場合は、テンションローラ５５が転写ベルト５３を張る方向に移動することで転写ベルト５３にテンションを与える。よって、転写ベルト５３も全ての感光体ドラム２１から離間することとなる。このように、第３実施形態においても、第１実施形態や第２実施形態と同様に、テンションローラ５５が本発明における「ベルト離間手段」として機能している。また、ローラ離当接手段およびベルト離間手段以外の構成については、上記実施形態と同様である。
【００６０】
第３実施形態においては、以上のように構成されているため、感光体カートリッジ１７の着脱に際しては、ローラ離当接手段による１次転写ローラ５７Ｙ，５７Ｍ，５７Ｃ，５７Ｋの離間動作を実行することで、全ての感光体ドラム２１から転写ベルト５３および各感光体に対抗する除電部１９を離間させることができる（図１０）。このように第３実施形態においては、除電部１９としてライトガイド１９３を備えた小型のものを採用するとともに、感光体カートリッジ１７の着脱を行う際は、必ず各除電部１９をそれぞれが対向する感光体ドラム２１から離間する。したがって、感光体カートリッジ１７の着脱動作時において感光体ドラム２１とこれに対向するライトガイド１９３が相互に干渉することで、感光体ドラム２１またはライトガイド１９３を損傷するのを防止している。これにより、ライトガイド１９３の光照射面１９６を、感光体ドラム２１に近接して対向配置することが可能となり、ライトガイド１９３の光照射面１９６から照射された光が他の部材等に遮られることなく感光体ドラム２１の表面を露光できる。したがって、効率的に感光体ドラム２１表面の残留電位を取り除くことができ、良好な画像形成が可能となる。また、画像形成装置本体の小型化を可能とする。
【００６１】
また、第３実施形態においては、すべての除電部１９を支持部材８９により固定支持することで、１次転写ローラ５７Ｙ，５７Ｍ，５７Ｃ，５７Ｋのそれぞれが対向する感光体ドラム２１からの離間にともなう除電部１９の感光体ドラム２１からの離間を実現している。これにより、画像形成ステーションＹ，Ｍ，Ｃ，Ｋが有する除電部１９を支持するフレームや、該除電部１９をそれぞれが対向する感光体ドラム２１から離間させる手段等を別途設ける必要が無く装置の簡素化が図られている。
【００６２】
なお、本発明は上記した実施形態に限定されるものではなく、その趣旨を逸脱しない限りにおいて上述したもの以外に種々の変更を行うことが可能である。例えば、上記３つの実施形態では、ライトガイド１９３の両端部に除電用発光部材１９１ａ、１９１ｂを取り付け、ライトガイド１９３と発光部材１９１ａ、１９１ｂとが一体的に感光体ドラム２１に対して離間したり、近接したりするように構成されているが、ライトガイド１９３と発光部材１９１ａ、１９１ｂとを分離し、発光部材１９１ａ、１９１ｂを固定配置する一方、ライトガイド１９３のみが感光体ドラム２１に対して離間したり、近接したりするように構成してもよい。この場合、ライトガイド１９３を移動させる移動機構が本発明の「ガイド離間手段」に相当する。また、発光部材１９１ａ、１９１ｂをライトガイド１９３の離間・近接移動にともなって発光部材１９１ａ、１９１ｂが感光体ドラム２１に対して離間したり近接するように構成してもよい。この場合、発光部材１９１ａ、１９１ｂを移動させる移動機構が本発明の「発光部材離間手段」に相当する。
【００６３】
また、上記実施形態では、２つの発光部材を用いて除電処理を実行しているが、発光部材の個数、種類および配設位置などについては任意であり、発光部材とライトガイドとを組み合わせた光除電方式を採用している画像形成装置全般に本発明を適用することができる。
【図面の簡単な説明】
【００６４】
【図１】本発明にかかる画像形成装置の第１実施形態を示す図。
【図２】画像形成装置の電気的構成を示すブロック図。
【図３】除電部の構成を示す図。
【図４】単色印字処理実行時の装置内部を示す図。
【図５】感光体カートリッジ着脱時の装置内部を示す図。
【図６】本発明にかかる画像形成装置の第２実施形態を示す図。
【図７】第２実施形態での画像形成装置の電気的構成を示すブロック図。
【図８】第２実施形態での感光体カートリッジ着脱時の装置内部を示す図。
【図９】本発明にかかる画像形成装置の第３実施形態を示す図。
【図１０】第３実施形態での感光体カートリッジ着脱時の装置内部を示す図。
【符号の説明】
【００６５】
１…装置本体、１７…感光体カートリッジ、１９…除電部、２１…感光体ドラム、４７…カラー用ソレノイド、４８…モノクロ用ソレノイド、５３…転写ベルト、５５…テンションローラ、５７Ｙ，５７Ｍ，５７Ｃ，５７Ｋ…１次転写ローラ、５９…カラー回動軸、６１…カラーローラ支持フレーム、６３…カム回転軸、６５…カラーフレーム用カム、６７…アクチュエータ、６９…モノクロ回動軸、７１…モノクロローラ支持フレーム、７３…モノクロフレーム用カム、支持部材…８９、ソレノイド…９１、１９１ａ，１９１ｂ…除電用発光部材、１９３…ライトガイド、５２７０…アクチュエータ制御部、５２８０…カラー用ソレノイド制御部、５２９０…モノクロ用ソレノイド制御部、Ｙ，Ｍ，Ｃ，Ｋ…画像形成ステーション
【図１】
2006235034.tif 000003
【図２】
2006235034.tif 000004
【図３】
2006235034.tif 000005
【図４】
2006235034.tif 000006
【図５】
2006235034.tif 000007
【図６】
2006235034.tif 000008
【図７】
2006235034.tif 000009
【図８】
2006235034.tif 000010
【図９】
2006235034.tif 000011
【図１０】
2006235034.tif 000012